(57)【要約】【課題】間引き点灯した場合の配光特性が全ランプを点灯したときと変化しないようにし、点灯ランプ側と非点灯ランプ側との輝度差を極力小さくする。【解決手段】基板１の同一円上に略等間隔に片口金ランプを垂下取着する４個のソケット２を配置し、この各ソケットにそれぞれ片口金ランプ３−１〜３−４を取り付けて器具本体４を構成し、この器具本体に各ソケットを配置した内面及び各ランプの側方周辺部を包囲する内面を鏡面にした反射器６を固定する。そして、１対の点灯回路部７，８によって、各片口金ランプをすべて点灯するか間引き点灯するか切替えるとともに、間引き点灯時には点灯する２本のランプが同一円上の円周方向に１本置きに配置されるように制御する。【選択図】　　図１
2004111322.tif 000002
【特許請求の範囲】
【請求項１】
基板の同一円上に略等間隔に片口金ランプを垂下取着する４個以上のソケットを配置し、この各ソケットにそれぞれ片口金ランプを取り付けた器具本体と、この器具本体に固定され、前記各ソケットを配置した内面及び前記各ランプの側方周辺部を包囲する内面を鏡面にした反射器と、前記器具本体に取り付けられ、前記各片口金ランプをすべて点灯するか間引き点灯するか切替えるとともに、間引き点灯時には点灯するランプが同一円上の円周方向に１本置きに配置されるか、１本置きと２本置きが混合した状態で配置されるように点灯制御する点灯回路とを具備したことを特徴とする照明器具。
【請求項２】
点灯回路は、１対の点灯回路部からなり、この各点灯回路部は個々に商用交流電源との接続端子を設けるとともに、対応するランプを点灯制御して間引き点灯することを特徴とする請求項１記載の照明器具。
【請求項３】
各点灯回路部の少なくとも一方を、調光点灯制御を行う点灯回路部とし、この点灯回路部により間引き点灯時の調光点灯制御を行うことを特徴とする請求項２記載の照明器具。
【発明の詳細な説明】
【０００１】
【発明の属する技術分野】本発明は、ダウンライト用に使用される照明器具に関する。
【０００２】
【従来の技術】従来、この種の照明器具としては、ベースの同一円上に３本の片口金蛍光ランプを略等間隔に垂下配置した器具本体と、この器具本体に固定され、前記各ランプの側方周辺部を包囲する反射鏡を設け、前記各ランプのすべてを同時に点灯、非点灯制御するものが知られている。（例えば、特許文献１参照）。
【０００３】
【特許文献１】
特開２０００−３４８５３１公報（段落「００１１」−「００１２」、図１、図２）
【０００４】
【発明が解決しようとする課題】この照明器具はすべてのランプを同時に点灯する構成になっているので、例えば、３本のうち、２本のみ点灯させたり、１本のみ点灯させたりする、いわゆる間引き点灯はできなかった。このため、省電力対策のために間引き点灯させる場合は、点灯させないランプを取外すしかなかった。
【０００５】
ところで、複数本の蛍光ランプを有する照明器具において、間引き点灯させる場合、配光が変化し、また、点灯ランプ側と非点灯ランプ側との輝度の差が大きくなるという問題があり、ダウンライト用の照明器具では間引き点灯させると一方の側が明るく他方の側が暗くなるという問題や点灯しないランプが容易に確認できて見栄えが悪いという問題が生じる虞があった。
【０００６】
そこで本発明は、間引き点灯させることができ、しかも間引き点灯した場合の配光特性が全てのランプを点灯したときとほとんど変化がなく、また、点灯ランプ側と非点灯ランプ側との輝度の差を極力小さくして見栄えを良くすることができる照明器具を提供する。
【０００７】
【課題を解決するための手段】本発明は、基板の同一円上に略等間隔に片口金ランプを垂下取着する４個以上のソケットを配置し、この各ソケットにそれぞれ片口金ランプを取り付けた器具本体と、この器具本体に固定され、各ソケットを配置した内面及び各ランプの側方周辺部を包囲する内面を鏡面にした反射器と、器具本体に取り付けられ、各片口金ランプをすべて点灯するか間引き点灯するか切替えるとともに、間引き点灯時には点灯するランプが同一円上の円周方向に１本置きに配置されるか、１本置きと２本置きが混合した状態で配置されるように点灯制御する点灯回路とを具備したものである。
【０００８】
また、点灯回路を、１対の点灯回路部で構成し、この各点灯回路部に、個々に商用交流電源との接続端子を設け、各点灯回路部は対応するランプを点灯制御して間引き点灯することにある。
【０００９】
また、各点灯回路部の少なくとも一方を、調光点灯制御を行う点灯回路部とし、この点灯回路部により間引き点灯時の調光点灯制御を行うことにある。
【００１０】
【発明の実施の形態】以下、本発明の一実施の形態を、図面を参照して説明する。
図１及び図２に示すように、平坦な基板１の一方の側の中央部に、同一円上に略等間隔に片口金蛍光ランプを垂下取着する、例えば、４個のソケット２を配置し、この各ソケット２にそれぞれ片口金ランプ３−１，３−２，３−３，３−４を取り付けて器具本体４を構成している。
【００１１】
前記基板１の一方の端にシャーシ５を垂直に立設し、前記基板１とシャーシ５に反射器６を固定している。前記反射器６は、前記各ソケット２を配置した内面６ａ及び前記各片口金ランプ３−１〜３−４の側方周辺部を包囲する内面６ｂを鏡面に形成している。
【００１２】
前記基板１の他方の側には、点灯回路を構成する１対の点灯回路部７，８を取り付けるとともに各点灯回路部７，８に対応して１対の端子台９，１０を取り付けている。前記各端子台９，１０には前記各点灯回路部７，８の電源入力端子に接続すると共に商用交流電源に接続する接続端子が設けられている。
【００１３】
図３は回路構成を示すブロック図で、前記各点灯回路部７，８は、それぞれ２灯点灯制御用のインバータ回路１１，１２を設け、一方のインバータ回路１１の出力端子に前記蛍光ランプ３−１，３−３を接続し、他方のインバータ回路１２の出力端子に前記蛍光ランプ３−２，３−４を接続している。前記一方のインバータ回路１１は調光信号の入力によって前記蛍光ランプ３−１，３−３を調光点灯制御するようになっている。
【００１４】
前記一方のインバータ回路１１の入力端子は前記端子台９の接続端子９ａ，９ｂに接続し、前記他方のインバータ回路１２の入力端子は前記端子台１０の接続端子１０ａ，１０ｂに接続している。
【００１５】
前記接続端子９ａ，９ｂは４接点切替え２連スイッチ１３の一方のスイッチ１３ａを介して商用交流電源１４に接続し、前記接続端子１０ａ，１０ｂは前記４接点切替え２連スイッチ１３の他方のスイッチ１３ｂを介して前記商用交流電源１４に接続するようになっている。
【００１６】
前記４接点切替え２連スイッチ１３は同一構成のスイッチ１３ａ，１３ｂの同一の切替え接点を同一タイミングで切替え、第１の切替え接点を選択したときには両方のインバータ回路１１，１２への電源供給をオフにし、第２の切替え接点を選択したときには一方のインバータ回路１１への電源供給のみをオンにし、第３の切替え接点を選択したときには他方のインバータ回路１２への電源供給のみをオンにし、第４の切替え接点を選択したときには両方のインバータ回路１１，１２への電源供給をオンにする制御を行うようになっている。
【００１７】
このような構成においては、２連スイッチ１３を、第４の切替え接点を選択するように切替えると、各インバータ回路１１，１２に電源が供給されるので、一方のインバータ回路１１によって蛍光ランプ３−１，３−３が点灯され、他方のインバータ回路１２によって蛍光ランプ３−２，３−４が点灯され、図４の（ａ）に示すように、４本の全ての蛍光ランプが点灯される。
【００１８】
この状態で２連スイッチ１３を、第２の切替え接点を選択するように切替えると、一方のインバータ回路１１にのみ電源が供給されるので、図４の（ｂ）に示すように、蛍光ランプ３−１，３−３は点灯を維持するが、蛍光ランプ３−２，３−４は消灯される。このとき蛍光ランプは１つ置きに点灯することになる。
【００１９】
この状態で２連スイッチ１３を、さらに第３の切替え接点を選択するように切替えると、他方のインバータ回路１２にのみ電源が供給されるので、図４の（ｃ）に示すように、蛍光ランプ３−１，３−３が消灯し、代わって蛍光ランプ３−２，３−４が点灯する。このときも蛍光ランプは１つ置きに点灯することになる。
【００２０】
このように、インバータ回路と端子台を２系統に分け、それぞれスイッチ切替えによって電源の供給を切り分けて間引き点灯するので、確実な間引き点灯ができる。
【００２１】
この点灯動作において、４本の全ての蛍光ランプを点灯させたときと、２本の蛍光ランプのみを点灯させる間引き点灯させたときとの配光特性を調べたところ、４本の全ての蛍光ランプを点灯させたときの配光特性が図５に実線で示す結果になったのに対し、２本の蛍光ランプのみを点灯させたときの配光特性が図５に点線で示す結果になった。このように、４本の場合と２本の場合とで配光特性にほとんど差が無く、２本の場合も４本の場合と同様の配光特性を維持したまま明るさのみを減らすことができる。
【００２２】
また、間引き点灯において、点灯している蛍光ランプの側の最大輝度と点灯していない蛍光ランプの側の最小輝度との輝度比調べ、これを並んでいる２本の蛍光ランプを点灯させた、例えば、蛍光ランプ３−１と３−２を点灯させた場合と比較した結果、下表に示す結果が得られた。
【００２３】
【表１】
2004111322.tif 000003
【００２４】
すなわち、並んでいる２本の蛍光ランプを点灯する間引き点灯させた場合は、点灯している蛍光ランプの側の最大輝度が６９，８００ｃｄ／ｍ２で、点灯していない蛍光ランプの側の最小輝度が１，１００ｃｄ／ｍ２で、最小／最大の輝度比が０．０１６であったのに対し、本実施の形態のように４本構成に対して対向配置した蛍光ランプが対になるように１つ置きに点灯する間引き点灯させた場合は、点灯している蛍光ランプの側の最大輝度が５５，７００ｃｄ／ｍ２で、点灯していない蛍光ランプの側の最小輝度が９，２００ｃｄ／ｍ２で、最小／最大の輝度比が０．１７になった。
【００２５】
このように、本実施の形態においては最大輝度と最小輝度との差を小さくでき、これにより、点灯していない蛍光ランプの周囲も明るく輝いてあたかも点灯しているように見え、見栄えを良くすることができる。
【００２６】
従って、本実施の形態の間引き点灯は、配光特性を維持したまま明るさのみを減らすことができること及び最大輝度と最小輝度との差を小さくできることが相俟って良好な省電力効果が得られる。
【００２７】
また、一方のインバータ回路１１のみに電源を供給して蛍光ランプ３−１，３−３を点灯しているときには、インバータ回路１１に調光信号を入力して蛍光ランプ３−１，３−３を調光点灯制御することができる。これにより、間引き点灯時において調光点灯制御ができる。
【００２８】
また、本実施形態においては蛍光ランプ３−１，３−３と蛍光ランプ３−２，３−４との色温度を異ならせることもできる。
【００２９】
例えば、蛍光ランプ３−１，３−３として色温度が６７００Ｋのものを使用し、蛍光ランプ３−２，３−４として色温度が３０００Ｋのものを使用する。すなわち、調光点灯制御する蛍光ランプ３−１，３−３の方の色温度を高くする。そして、調光比を２０％まで可能とすると、明るさの変動は６０％〜１００％までとなり、色温度が３３００Ｋ〜４１００Ｋまで変動する結果が得られた。
【００３０】
一般に、図６に示すように色温度が高いほど照度、すなわち、明るさが高い方が好ましいことがＫｒｕｉｔｈｏｆカーブとして知られている。図６ではこのカーブに上記した明るさの変動と色温度の変動の関係をグラフｇとしてプロットしている。
【００３１】
図６においては、斜線部分に挟まれた白領域の部分が好ましい範囲であり、グラフｇはこの白領域内に位置している。従って、十分にこの範囲で色温度を変えながら明るさを変動させることができる。これにより、間引き点灯時において調光点灯制御を良好に行うことができる。
【００３２】
なお、図６において、横軸の色温度Ｔｃは、その逆数を反転して示したものであり、縦軸の照度は、対数で示してものである。
【００３３】
なお、この実施の形態は、４本の蛍光ランプを備えた照明器具について述べたが必ずしもこれに限定するものでないのは勿論である。例えば、６本の蛍光ランプを備えた照明器具や５本の蛍光ランプを備えた照明器具にも適用できるものである。
【００３４】
６本の蛍光ランプを備えた照明器具における、蛍光ランプの間引き点灯は、図７の（ａ）及び（ｂ）に示すようになる。なお、図中斜線は消灯を示している。すなわち、（ａ）の間引き点灯においても（ｂ）の間引き点灯においても、同一円上に配置された６本の蛍光ランプに対して、円周方向に１本置きと２本置きが混合した状態で点灯する３本の蛍光ランプが配置されることになる。なお、この場合、各インバータ回路は３本の蛍光ランプを点灯制御するものを使用することになる。
【００３５】
５本の蛍光ランプを備えた照明器具における、蛍光ランプの間引き点灯は、図８の（ａ）及び（ｂ）に示すようになる。なお、図中斜線は消灯を示している。すなわち、（ａ）の間引き点灯においては同一円上に配置された５本の蛍光ランプに対して、円周方向に１本置きに点灯する３本の蛍光ランプが配置され、（ｂ）の間引き点灯においては同一円上に配置された５本の蛍光ランプに対して、円周方向に１本置きと２本置きが混合した状態で点灯する２本の蛍光ランプが配置されることになる。なお、この場合、一方のインバータ回路は３本の蛍光ランプを点灯制御し、他方のインバータ回路は２本の蛍光ランプを点灯制御するものを使用することになる。
【００３６】
このようにしても全ての蛍光ランプを点灯させたときの配光特性を維持したまま明るさのみを減らす間引き点灯ができる。また、間引き点灯したときの最大輝度と最小輝度との差を小さくでき、見栄えを良くすることができる。
【００３７】
【発明の効果】以上詳述したように本発明によれば、間引き点灯させることができ、しかも間引き点灯した場合の配光特性が全てのランプを点灯したときとほとんど変化がなく、また、点灯ランプ側と非点灯ランプ側との輝度の差を極力小さくして見栄えを良くすることができる。
また、本発明によれば、さらに、確実な間引き点灯ができる。
また、本発明によれば、さらに、間引き点灯時において調光点灯制御ができる。
【図面の簡単な説明】
【図１】本発明の、一実施の形態を示す照明器具を下から見た平面図。
【図２】同実施の形態における照明器具の一部切欠した側面図。
【図３】同実施の形態における回路構成を示すブロック図。
【図４】同実施の形態における蛍光ランプの点灯形態を示す図。
【図５】同実施の形態における蛍光ランプの全点灯時と間引き点灯時の配光特性を示すグラフ。
【図６】色温度と明るさの関係を示すＫｒｕｉｔｈｏｆカーブと本実施の形態における調光時の色温度と明るさの変化との関係を示すグラフ。
【図７】本発明の、他の実施の形態における蛍光ランプの点灯形態を示す図。
【図８】本発明の、他の実施の形態における蛍光ランプの点灯形態を示す図。
【符号の説明】
１…基板、２…ソケット、３−１〜３−４…片口金蛍光ランプ、４…器具本体、６…反射器、７，８…点灯回路部、９，１０…端子台、１１，１２…インバータ回路。
【図１】
2004111322.tif 000004
【図２】
2004111322.tif 000005
【図３】
2004111322.tif 000006
【図４】
2004111322.tif 000007
【図５】
2004111322.tif 000008
【図６】
2004111322.tif 000009
【図７】
2004111322.tif 000010
【図８】
2004111322.tif 000011